(57)【特許請求の範囲】
【請求項１】
水素を発生させるための触媒を有し、電圧が印加されない状態で燃料電極をなす第１の電極と、
水に接触可能に設けられ、酸素を発生させるための触媒を有し、電圧が印加されない状態で酸素電極をなす第２の電極と、
前記第１の電極と前記第２の電極との間に設けられ、フラーレン誘導体を母体としプロトン解離性の基が導入されてなるプロトン伝導体を有し、プロトン伝導可能に構成され、前記第１の電極と前記第２の電極とに電圧が印加されない状態でイオン交換膜をなす電解質膜と、
水素を取込み蓄え、かつ水素を前記燃料電極に供給するための吸蔵体とを備え、
前記第１の電極と前記電解質膜と前記第２の電極とからなり、全体として燃料電池をなして電力を放出する発電を行う膜電極一体構造が構成され、
前記膜電極一体構造を複数有する燃料電池を使用する方法であって、
前記第１の電極に負の電圧を印加し、前記第２の電極に正の電圧を印加することにより、前記第２の電極においては前記触媒の存在下で水から酸素とプロトンと電子とが発生し、前記第１の電極においては前記触媒の存在下でプロトンと電子とから水素が発生し、発生した水素を前記吸蔵体に取込み蓄えて、充電を行い、
前記第１の電極及び前記第２の電極に電圧を印加しない状態とすることにより、前記第１の電極においては水素と接触して前記第１の電極の前記触媒の存在下で水素からプロトンと電子とが発生し、前記電解質膜においては、前記第１の電極で発生したプロトンを前記第２の電極へと伝導し、前記第２の電極においては酸素と接触して前記第２の電極の前記触媒の存在下で酸素と電子とプロトンとから水が発生し、電力を放出する発電を行う
燃料電池の使用方法。
【請求項２】
少なくとも１の前記膜電極一体構造は水素を発生するためのガス供給源として作用させて、残りの前記膜電極一体構造の内の少なくとも１つは、前記ガス供給源に連通して接続して発電体として作用させる請求項１記載の燃料電池の使用方法。
【発明の詳細な説明】
【０００１】
【産業上の利用分野】
本発明は燃料電池の使用方法に関し、特に小型の二次電池としての機能を有する燃料電池の使用方法に関する。
【０００２】
【従来の技術】
従来より、燃料電極と酸素電極とがイオン交換膜を介して接続されている燃料電池が知られている。イオン交換膜は、燃料電極で発生した水素イオンたるプロトンを酸素電極へ伝導可能とするため、プロトン伝導体を有している。プロトン伝導体としては、パーフルオロスルホン酸樹脂（Ｄｕ  Ｐｏｎｔ社製のＮａｆｉｏｎ等）のような、プロトン伝導性を有する有機物系材料からなる固体高分子が用いられている。この有機物系材料により構成される固体高分子は、湿潤下でプロトン伝導可能である。
【０００３】
燃料電極には、燃料電極内でプロトンたる水素イオンを発生するために、水素ガス等の燃料が供給される。水素ガス等の燃料は、燃料電池外部に設けられた燃料供給装置によって供給される。イオン交換膜は、加湿器により水分が供給され、プロトン伝導可能な状態とされる。
【０００４】
【発明が解決しようとする課題】
しかし、従来の燃料電池では、上述のように、燃料供給装置によって水素ガス等の燃料を燃料電極に供給することにより、電力を発生させていたため、携帯電子機器等に使用される充電可能な小型の二次電池とすることは困難であった。
【０００５】
燃料電池を二次電池的なものとして構成するためには、燃料電池の燃料電極に負の電圧を印加し、酸素電極に正の電圧を印加して、酸素電極に水を接触させることによって酸素電極からプロトンと電子と酸素とを発生させ、燃料電極からはプロトンと電子とから水素を発生させ、この水素を蓄え、蓄えた水素を用いて発電する二次電池的なものを考えることはできる。しかし、仮に水素を蓄えることができたとしても、イオン交換膜を湿潤状態にするための加湿器がなお必要であり、ボタン型電池のような小型の二次電池とすることは不可能であった。
【０００６】
そこで本発明は、ボタン型電池程度の小型の二次電池として使用できる燃料電池の使用方法を提供する。
【０００７】
【課題を解決するための手段】
上記目的を達成するために、本発明は、水素を発生させるための触媒を有し、電圧が印加されない状態で燃料電極をなす第１の電極と、水に接触可能に設けられ、酸素を発生させるための触媒を有し、電圧が印加されない状態で酸素電極をなす第２の電極と、第１の電極と第２の電極との間に設けられ、フラーレン誘導体を母体としプロトン解離性の基が導入されてなるプロトン伝導体を有し、プロトン伝導可能に構成され、第１の電極と第２の電極とに電圧が印加されない状態でイオン交換膜をなす電解質膜と、水素を取込み蓄え、かつ水素を燃料電極に供給するための吸蔵体とを備え、第１の電極と電解質膜と第２の電極とからなり、全体として燃料電池をなして電力を放出する発電を行う膜電極一体構造が構成され、この膜電極一体構造を複数有する燃料電池を使用する方法であって、第１の電極に負の電圧を印加し、第２の電極に正の電圧を印加することにより、第２の電極においては前記触媒の存在下で水から酸素とプロトンと電子とが発生し、第１の電極においては前記触媒の存在下でプロトンと電子とから水素が発生し、発生した水素を吸蔵体に取込み蓄えて、充電を行い、第１の電極及び第２の電極に電圧を印加しない状態とすることにより、第１の電極においては水素と接触して第１の電極の触媒の存在下で水素からプロトンと電子とが発生し、電解質膜においては、第１の電極で発生したプロトンを第２の電極へと伝導し、第２の電極においては酸素と接触して第２の電極の触媒の存在下で酸素と電子とプロトンとから水が発生し、電力を放出する発電を行う燃料電池の使用方法を提供している。
【０００９】
又、少なくとも１の膜電極一体構造は水素を発生するためのガス供給源として作用させて、残りの膜電極一体構造の内の少なくとも１つは、ガス供給源に連通して接続して発電体として作用させることが好ましい。
【００２２】
【発明の実施の形態】
燃料電池１の一形態（本発明に対する参考例）について、図１乃至図４に基づき説明する。図１に示されるように、燃料電池１は、それぞれ板状の円形をした第１集電体１１、第１電極１２、電解質膜１３、第２電極１４、第２集電体１５を有しており、この順にそれぞれの平面が互いに接続されている。第１電極１２と第２電極１４との間では、電解質膜１３を介して水素イオンたるプロトンが伝導可能に構成されている。第１集電体１１、第２集電体１５は、金メッキの施された導電性の良好な金属によって構成されており、第１集電体１１と第１電極１２との間、第２電極１４と第２集電体１５との間は、それぞれ電気的に接続された状態となっている。第１電極１２、電解質膜１３、第２電極１４の３つからなる部分は、膜電極一体構造（以下「ＭＥＡ」とする）をなす。
【００２３】
又、燃料電池１は水素吸蔵体１６と分離膜１７とを有している。第１電極１２の、第１集電体１１に接続されている側には、水素吸蔵体１６が配置されており、第１集電体１１と水素吸蔵体１６とは、非常に薄い分離膜１７を間に介して、間接的に接続されている。第１集電体１１と水素吸蔵体１６との間には、分離膜１７以外のもの、例えば、加湿器等は設けられていない。このため、結果的に第１電極１２と水素吸蔵体１６とは近接配置された状態となっている。
【００２４】
第１集電体１１、第１電極１２、電解質膜１３、第２電極１４、第２集電体１５、水素吸蔵体１６及び分離膜１７は、導電性の良好な金属により構成される上ふた１８と下ふた１９からなる筐体によって収容されている。上ふた１８は水素吸蔵体１６に対向する位置に設けられており、下ふた１９は第２集電体１５に対向する位置に設けられている。上ふた１８は第１集電体１１に電気的に接続されており、下ふた１９は第２集電体１５に電気的に接続されている。上ふた１８と下ふた１９とは互いに絶縁されている。下ふた１９には、多数の空孔が形成されており、空気中の酸素が通過可能に構成されている。又、第１集電体１１、第２集電体１５にも、それぞれ多数の空孔が形成されており、第１集電体１１においては水素分子が通過可能に構成され、第２集電体１５においては空気中の酸素が通過可能に構成されている。上ふた１８と下ふた１９とからなる燃料電池１の外形は、ボタン型電池形状をなしている。
【００２５】
水素吸蔵体１６は粉体の水素吸蔵合金からなり、上ふた１８に設けられた吸蔵体保持体２０に形成された凹部２０ａに収容保持されている。吸蔵体保持体２０の凹部２０ａに収容保持された水素吸蔵合金の粉体は、集合して吸蔵体部位をなす。水素吸蔵体１６は、第１電極１２において発生した水素を取込みその内部に蓄え、又、蓄えた水素を第１電極１２へ供給可能に構成されている。ここで、水素を内部に取込み蓄えるとは、必ずしも水素分子をそのままの状態で取込み蓄えるとは限らず、第１電極１２からの水素を、水素吸蔵体１６を構成する物質に応じて、所定の状態として取込み蓄えることを意味する。又、水素を供給するとは、必ずしも水素分子をそのままの状態で第１電極１２に供給するとは限らず、水素吸蔵体１６の内部に取込み蓄えている所定の状態の水素を、第１電極１２が水素イオンたるプロトンを発生できるような所定の状態で、第１電極１２に供給することを意味する。
【００２６】
第１電極１２は、白金触媒が担持された多孔質カーボンからなり、フラーレン誘導体系のプロトン伝導体たるポリ水酸化フラーレンが、炭素を主成分とする炭素質材料を母体としプロトン解離性の基が導入されてなるプロトン伝導体として含浸させられている。多孔質カーボンからなるため、第１電極１２中に水素が侵入可能となっている。フラーレン誘導体系プロトン伝導体がイオン伝導体として用いられ、第１電極１２に含浸させられるため、燃料無加湿状態においても電極内のイオン伝導を良好に保つことができる。又、白金触媒にフラーレン誘導体系プロトン伝導体をなじませることができる。
【００２７】
ここで用いられるフラーレン誘導体系プロトン伝導体は、球状クラスター分子をなすフラーレン分子を母体とする。通常は、Ｃ３６、Ｃ６０、Ｃ７０、Ｃ７６、Ｃ７８、Ｃ８０、Ｃ８２、Ｃ８４等から選ばれるが、本形態においてはＣ６０及びＣ７０が選ばれる。フラーレンの構成炭素原子にプロトン解離性の基が導入されて、フラーレン誘導体系プロトン伝導体が構成される。更に、電子吸引基が導入されることによって、前記基のプロトン解離性がいっそう助長される。プロトン解離性の基とは、電離により水素イオン（プロトン（Ｈ＋））が離脱し得る官能基を意味し、−ＯＨ、−ＯＳＯ３Ｈ、−ＣＯＯＨ、−ＳＯ３Ｈ、−ＯＰＯ（ＯＨ）２が好まれるが、本形態においては、−ＯＨ、又は−ＯＳＯ３Ｈが好適に用いられる。特に、プロトン解離性の基として−ＯＨを有するポリ水酸化フラーレン（通称、フラレノール）により形成した膜は、従来より用いられていたパーフルオロスルホン酸樹脂により形成されたものに比べて成膜性等に優れており、またプロトンの伝導に水分子の介在を必要としないため、加湿器等が不要である。更に、動作温度領域が−４０°Ｃ〜１６０°Ｃと広い等の利点があり、本発明の電気化学デバイス（燃料電池）には好適である。又、電子吸引基としては、ニトロ基、カルボニル基、カルボキシル基、ニトリル基、ハロゲン化アルキル基、ハロゲン原子（フッ素、塩素等）の内の、いずれか一つ又は複数が選択されて構成されている。
【００２８】
第２電極１４も第１電極１２の多孔質カーボンと同一の、白金触媒が担持された多孔質カーボンからなり、第１電極１２のものと同一のフラーレン誘導体系プロトン伝導体が含浸させられている。多孔質カーボンからなるため、この第２電極１４は、下ふた１９及び第２集電体１５に形成されている空孔を介して侵入してきた空気中の酸素が、第２電極１４内部に侵入可能に構成されている。
【００２９】
電解質膜１３自体にも、第１電極１２のものと同一のフラーレン誘導体系のプロトン伝導体が用いられる。具体的には、電解質膜１３は、ポリエチレン（ＰＥ）、ポリプロピレン（ＰＰ）、又はポリテトラフルオロエチレン（ＰＴＦＥ）により構成される多孔質基体に、フラーレン誘導体系のプロトン伝導体が充填させられることにより構成されている。
【００３０】
分離膜１７はポリエチレン（ＰＥ）、ポリプロピレン（ＰＰ）、又はポリテトラフルオロエチレン（ＰＴＦＥ）により構成される多孔質基体によって構成されている。第１電極１２に含浸されているフラーレン誘導体系プロトン伝導体は酸性であり、水素吸蔵体１６に第１電極１２が直接接触すると、水素吸蔵体１６をなす水素吸蔵合金が腐食してしまう。この腐食を防ぐために、分離膜１７は、第１電極１２と水素吸蔵体１６との間に設けられ、水素吸蔵体１６と第１電極１２とが直接接触しないように構成されている。又、前述のように、水素吸蔵体１６は粉体からなるため、吸蔵体保持体２０によって包囲され収容保持されているが、凹部２０ａの開口部２０ｂの部分は、水素吸蔵体１６から第１電極１２へと水素を供給可能な構成とするため、吸蔵体保持体２０ではなく分離膜１７によって包囲されている。この開口部２０ｂから、粉末状の水素吸蔵体１６が第１集電体１１や第１電極１２へと飛散してしまうことを、分離膜１７は防止することができるように構成されている。分離膜１７内は水素分子が通過可能である。
【００３１】
次に、燃料電池１の動作について説明する。燃料電池１によって水素を発生する場合には、図２又は図４に示されるように、燃料電池１外部に設けられた電源２に燃料電池１が接続され、第１電極１２には負の電圧が印加され、第２電極１４には正の電圧が印加される。又、燃料電池１の第２電極１４には空気中の水分が接触している。水分は、第２電極１４内の白金触媒の存在下で、酸素と電子と水素イオンたるプロトンとになる。電子は、燃料電池１外部に接続された電源２を介して、第１電極１２へと移動する。プロトンは、電解質膜１３中を伝導し第１電極１２へと移動する。酸素は、第２電極１４から空気中へと放出される。第２電極１４から第１電極１２へと移動してきたプロトンと電子とは、第１電極１２内の白金触媒の存在下で反応し水素となる。この水素は、図４に示されるように、水素吸蔵体１６内に取込まれ蓄えられる。なお、燃料電池１に接続された状態として図４中に模式的に示されている電球は、燃料電池１が水素を発生させるときには、非接続状態とされている。又、図２には、水素吸蔵体１６は図示されていない。水素の発生の動作を分かり易く説明するために、水素吸蔵体１６を省略している。
【００３２】
燃料電池１が発電に用いられる場合には、第１電極１２は燃料電極をなし、電解質膜１３はイオン交換膜をなし、第２電極は酸素電極をなす。燃料電池１の外部には、図３又は図４に示されるように、電気的な負荷を有する外部回路が接続される。図中においては、電気的な負荷として電球３が模式的に図示されている。
【００３３】
燃料電池１の第１電極１２には、水素吸蔵体１６に蓄えられている水素が供給され、第２電極１４には空気中の酸素が接触している。供給された水素は、第１電極１２中の白金触媒の存在下でプロトンと電子とになる。電子は、燃料電池１の第１電極１２と第２電極１４とに接続された電気的負荷たる電球３を介して、第２電極１４へと移動する。プロトンは、電解質膜１３中を伝導し第２電極１４へと移動する。第２電極１４に接触している酸素と、第１電極１２から移動してきたプロトン及び電子とは、第２電極１４内の白金触媒の存在下で反応し水となる。なお、図４に示されている、燃料電池１に接続されている電源は、燃料電池１が発電するときには、非接続状態とされる。又、図３には、Ｈ２ガスが供給される旨が図示されている。発電の動作をわかりやすく説明するために吸蔵体１６に水素が供給される様子を模式的に示しており、実際には、この水素ガスの供給源は第１電極１２である。
【００３４】
次に、本発明の実施の形態による燃料電池システム４について、図５に基づき説明する。燃料電池システム４には、図１〜図４に示した形態の燃料電池１に設けられたＭＥＡが２つ設けられている。一のＭＥＡ４１は、水素を発生させるためのガス供給源として作用するように構成されており、一方、他のＭＥＡ４２は、発電するための発電体として作用するように構成されている。従って、一のＭＥＡ４１と他のＭＥＡ４２とは、寸法や、触媒、撥水剤の配合比等の仕様が異なっている。
【００３５】
一のＭＥＡ４１と他のＭＥＡ４２との間には、水素吸蔵体１６のものと同一の水素吸蔵合金からなる水素吸蔵体４３が設けられており、一のＭＥＡ４１で発生した水素を取込み蓄えることができるように構成されている。又、水素吸蔵体４３は、他のＭＥＡ４２へ水素を供給可能に構成されている。従って、一のＭＥＡ４１と他のＭＥＡ４２との間は、水素吸蔵体４３を介して水素が移動可能に連通している。
【００３６】
充電を行うとき、即ち、水素を発生するときには、一のＭＥＡ４１のみが用いられる。一のＭＥＡ４１に電源２が接続され、第１電極４１Ａに負の電圧が印加され、第２電極４１Ｂに正の電圧が印加される。充電が完了すると一のＭＥＡ４１に接続されていた電源２が外される。燃料電池として機能する発電を行うときには、他のＭＥＡ４２に電気的負荷たる電球３を有する外部回路が接続され、他のＭＥＡ４２のみが用いられる。なお、図５では、一のＭＥＡ４１に電源２が接続され、他のＭＥＡ４２に電球３が接続されているが、これは模式的に図示したものであり、上述のように、充電するとき、即ち、水素を発生するときには、電源２を接続し電球３を非接続とし、発電するときには、電球３を接続し電源２を非接続とする必要がある。
【００３７】
水素を発生させるためのガス供給源として作用する一のＭＥＡ４１と、発電するための発電体として作用する他のＭＥＡ４２とを別個に設け、それぞれ異なる仕様としたため、水素発生、発電の機能をより高めることができる。
【００３８】
本発明による電気化学素子及び電気化学素子の製造方法は上述した実施の形態に限定されず、特許請求の範囲に記載した範囲で種々の変形や改良が可能である。例えば、燃料電池１では、空気中の水分を用いて水素の発生を行ったが、空気中の水分ではなく水を第２電極１４に供給するように構成してもよい。
【００３９】
又、燃料電池１では、第１電極１２と水素吸蔵体１６とは近接配置されていたが、水素吸蔵体１６において腐食等の問題が生じない場合には、第１電極１２と水素吸蔵体１６とを直接に接続するようにしてもよい。
【００４０】
又、水素吸蔵体１６は、粉体の水素吸蔵合金により構成されたが、バルク状の水素吸蔵合金塊により構成してもよい。この場合においても、同様に、水素吸蔵体が第１電極に近接配置又は直接に接続されて燃料電池が構成されるようにすれば、燃料電池をボタン型電池と同様のサイズの小型二次電池とすることができる。
【００４１】
又、燃料電池１では、水素吸蔵体１６として水素吸蔵合金を用いたが、水素吸蔵体１６はフラーレン又はナノチューブ又はナノファイバー等により構成されていてもよい。
【００４２】
又、水素吸蔵体１６が、第１電極１２に含浸されたプロトン伝導体によって腐食しない材料によって構成されている場合には、分離膜１７を設けなくてもよい。又、分離膜１７は、燃料電池１で用いられていたポリエチレン等に代えて、パラジウム合金やＺｒ−Ｎｉ合金等により構成される水素選択透過膜によって構成されてもよい。
【００４３】
又、燃料電池１では、フラーレン誘導体系プロトン伝導体を多孔質基体に含浸させて電解質膜１３を構成したが、この電解質膜１３に代えて、電解質膜１３内部に極微量の白金超微粒子触媒とＴｉＯ２、ＳｉＯ２等の酸化物超微粒子とを高分散させた、いわゆる内部加湿型固体高分子膜や、リン酸−ケイ酸塩（Ｐ２Ｏ５−ＳｉＯ２）系ガラス等のプロトン伝導性無機化合物を添加したポリマー膜を用いてもよい。これらを用いることにより、燃料電池１の場合と同様に、加湿器等によって燃料に水分を含ませることを不要とすることができる。
【００４４】
又、本実施の形態による燃料電池システム４には水素吸蔵体４３を設けたが、図６に示される燃料電池システム５のように水素吸蔵体４３を設けずに、一のＭＥＡ５１で発生した水素をすぐに他のＭＥＡ５２で用いて発電するように、一のＭＥＡ５１と他のＭＥＡ５２とを直接連通させる構成としてもよい。なお、図６では、一のＭＥＡ５１で発生した水素を他のＭＥＡ５２ですぐに使用して発電を行うために、一のＭＥＡ４１に電源２が接続されると共に他のＭＥＡ４２には電球３が接続されている。図５のように、電源２と電球３とを選択的に接続するのとは異なる。
【００４５】
又、本実施の形態による燃料電池システム４では、一のＭＥＡ４１を水素発生のために用い、他のＭＥＡ４２を発電のために用いたが、必要に応じて両方のＭＥＡで水素発生を行ったり、発電を行なうようにしてもよい。
【００４６】
又、本実施の形態による燃料電池システム４では、仕様の異なるＭＥＡを複数設けたが、図７及び図８に示されるように、仕様が同一のＭＥＡ６１を複数設けるようにして、各ＭＥＡが水素発生と発電との両方を行うようにしてもよい。このようにすることによって、短時間で大量の水素が必要なときや、大電力を必要とするときに、同時に複数のＭＥＡ６１を用いて、集中的に水素発生、発電を行うことができる。
【００４７】
又、本実施の形態による燃料電池システム４では、ＭＥＡを２つ設けるようにしたが、ＭＥＡの数はこれらに限定されるものではない。
【００４８】
又、本実施の形態の燃料電池システム４に係る燃料電池１では、無加湿状態でプロトン伝導可能なイオン交換膜を構成するプロトン伝導体に、ポリ水酸化フラーレン（通称、フラレノール）を用いたが、本発明はこれに限定されるものではない。ポリ水酸化フラーレンは、図９に示したようなフラーレン分子を母体とし、その構成炭素原子に水酸基を導入したものであるが、母体としてはフラーレン分子に限らず炭素を主成分とする炭素質材料であればよい。この炭素質材料には、炭素原子が、炭素−炭素間結合の種類を問わず、数個から数百個結合して形成されている集合体である炭素クラスターや、チューブ状炭素質（通称カーボンナノチューブ）が含まれていてよい。前者の炭素クラスターには、炭素原子が多数個集合してなる、球体又は長球、又はこれらに類似する閉じた面構造を有する種々の炭素クラスター（図１０）や、それらの球構造の一部が欠損し、構造中に開放端を有する炭素クラスター（図１１）、大部分の炭素原子がｓｐ３結合したダイヤモンド構造を持つ炭素クラスター（図１２）、さらにはこれらのクラスターどうしが種々に結合した炭素クラスター（図１３）が含まれていてよい。
【００４９】
またこの種の母体に導入する基としては水酸基に限らず、−ＸＨ、より好ましくは−ＹＯＨで表されるプロトン解離性の基であればよい。ここで、Ｘ及びＹは２価の結合手を有する任意の原子若しくは原子団であり、Ｈは水素原子、Ｏは酸素原子である。具体的には、前記−ＯＨ以外に、硫酸水素エステル基−ＯＳＯ３Ｈ、カルボキシル基−ＣＯＯＨ、他にスルホン基−ＳＯ３Ｈ、リン酸基−ＯＰＯ（ＯＨ）２のいずれかであることが好ましい。
【００５０】
上記のいずれの変形例によっても、プロトンの伝導に加湿が不要であり、本発明における効果には変わりはない。
【００５１】
【発明の効果】
請求項１記載の燃料電池の使用方法によれば、燃料電池が第１の電極と、第２の電極と、電解質膜とを有する膜電極一体構造を複数有するため、水の存在下で水素を発生するいわゆる充電と、電力を放出する発電とを、個々の膜電極一体構造において別個独立に行うことができる。
【００５２】
さらに、請求項１記載の燃料電池の使用方法によれば、燃料電池が吸蔵体を有しているため、発電が要求されないときには、水の存在下で水素を発生するいわゆる充電を行い、水素を吸蔵体に蓄えておき、発電が要求されるときには、蓄えた水素を用いて発電を行うことができる。又、同時に複数の膜電極一体構造を用いて水素を大量に発生したり、大電力の発電をしたりすることができるため、短時間で充電を行うために短時間で大量の水素が必要なときや、発電時に大電力を必要とするときに有用である。
【００５３】
請求項２記載の燃料電池の使用方法によれば、一の膜電極一体構造で発生した水素を、他の膜電極一体構造において発電するために用いることができる。このため、一の膜電極一体構造を水素を発生するのに最適な仕様とし、他の膜電極一体構造を発電に最適な仕様として、それぞれ仕様の異なる構成とし、効率のよい水素発生、発電を行うことができる。
【図面の簡単な説明】
【図１】  燃料電池の一形態（本発明に対する参考例）を示す断面図。
【図２】  図１の燃料電池の、水素発生の動作を行う様子のみを示す模式図。
【図３】  図１の燃料電池の、発電の動作を行う様子のみを示す模式図。
【図４】  図１の燃料電池が、充電の動作及び発電の動作を行う様子を示す模式図。
【図５】  本発明の実施の形態による燃料電池システムが、充電の動作又は発電の動作を行う様子を示す模式図。
【図６】  本発明の実施の形態による燃料電池システムの変形例を示す模式図。
【図７】  本発明の実施の形態の変形例による燃料電池システムが、水素を発生行う様子を示す模式図。
【図８】  本発明の実施の形態の変形例による燃料電池システムが、発電を行う様子を示す模式図。
【図９】  本発明の実施の形態による燃料電池システムに係る燃料電池に用いられるプロトン伝導体を構成する、フラーレンを示す分子構造図。
【図１０】  本発明の実施の形態による燃料電池システムに係る燃料電池に用いられるプロトン伝導体を構成する、球体又は長球、又はこれらに類似する閉じた面構造を有する種々の炭素クラスターを示す分子構造図。
【図１１】  本発明の実施の形態による燃料電池システムに係る燃料電池に用いられるプロトン伝導体を構成する、球構造の一部が欠損し、構造中に開放端を有する炭素クラスターを示す分子構造図。
【図１２】  本発明の実施の形態による燃料電池システムに係る燃料電池に用いられるプロトン伝導体を構成する、大部分の炭素原子がｓｐ３結合したダイヤモンド構造を持つ炭素クラスターを示す分子構造図。
【図１３】  本発明の実施の形態による燃料電池システムに係る燃料電池に用いられるプロトン伝導体を構成する、複数のクラスターどうしが種々に結合した炭素クラスターを示す分子構造図。
【符号の説明】
１      燃料電池
４      燃料電池システム
５      燃料電池システム
１２    第１電極
１３    電解質膜
１４    第２電極
１６    水素吸蔵体
１７    分離膜
４１    一のＭＥＡ
４１Ａ  第１電極
４１Ｂ  第２電極
４２    他のＭＥＡ
４３    水素吸蔵体
５１    一のＭＥＡ
５２    他のＭＥＡ
６１    ＭＥＡ
【図１】
0004887558.tif 000002
【図２】
0004887558.tif 000003
【図３】
0004887558.tif 000004
【図４】
0004887558.tif 000005
【図５】
0004887558.tif 000006
【図６】
0004887558.tif 000007
【図７】
0004887558.tif 000008
【図８】
0004887558.tif 000009
【図９】
0004887558.tif 000010
【図１０】
0004887558.tif 000011
【図１１】
0004887558.tif 000012
【図１２】
0004887558.tif 000013
【図１３】
0004887558.tif 000014